(57)【要約】【課題】帯鋸の収縮・伸長があっても、帯鋸が掛け渡されたプーリーどうしを接近または離間させて、帯鋸の張り／張力を調整する。【解決手段】切断対象が冷たくて、帯鋸１０が縮むと、被動プーリー５、被動プーリー軸３６及びプーリー軸受け３７が下降し、作用ピン４１が下へ押され、支点軸２７を通じてテコ板２８が上へ回動する。よって、帯鋸１０の収縮が吸収され、帯鋸１０の張りが強くなり過ぎず、帯鋸１０が破損せず、帯鋸１０の張りが一定に保たれ、切断対象がきれいに切断される。切断対象が熱いとこの逆になる。支点軸受け１９のアリ溝４２及びプーリー規制スライダー４３のアリ堤４４によって、プーリー規制スライダー４３、プーリー軸受け３７及び被動プーリー軸３６の移動方向は、２つの駆動プーリー４及び被動プーリー５を結ぶ方向にのみ規制される。よって、この被動プーリー５の移動によって帯鋸１０が傾かず、切断対象が斜めに切断されない。【選択図】図２
2012000703.tif 000002
【特許請求の範囲】
【請求項１】
帯鋸装置に回転可能に支持された少なくとも２つのプーリーと、
この少なくとも２つのプーリーに掛け渡された帯鋸と、
上記帯鋸装置に回動可能に取り付けられるとともに、この回動の軸を支点としたテコ体と、
このテコ体の力点に力を加える力点機構と、
上記テコ体の作用点から力を受けて、上記プーリーを互いに離間させる方向に付勢するとともに、上記プーリーの軸を受けるプーリー軸受けと、
このプーリー軸受けの移動方向を、上記２つのプーリーを結ぶ方向にのみ規制する、上記帯鋸装置に取り付けられたプーリー軸受け規制機構とを備えたことを特徴とする帯鋸の調整装置。
【請求項２】
上記テコ体の支点の回動軸を受ける支点軸受けと、  この支点軸受けの移動方向を、上記２つのプーリーを結ぶ方向にのみ規制する、上記帯鋸装置に取り付けられた支点軸受け規制機構とをさらに備えたことを特徴とする請求項１記載の帯鋸の調整装置。
【請求項３】
上記プーリー軸受け規制機構の移動方向は、上記支点軸受け規制機構に対して、上記２つのプーリーを結ぶ方向にのみ規制されることを特徴とする請求項２記載の帯鋸の調整装置。
【請求項４】
上記支点軸受けと支点軸受け規制機構とは、  上記帯鋸装置に固定された長尺体と、この長尺体に対して上記２つのプーリーを結ぶ方向にのみスライド可能に取り付けられた、上記テコ体の支点の回動軸を受ける支点軸受けとを備えたことを特徴とする請求項２記載の帯鋸の調整装置。
【請求項５】
上記プーリー軸受けとプーリー軸受け規制機構とは、  上記支点軸受けに設けられた長尺体と、この長尺体に対して上記２つのプーリーを結ぶ方向にのみスライド可能に取り付けられた、上記プーリーの軸を受けるプーリー軸受けとを備えたことを特徴とする請求項４記載の帯鋸の調整装置。
【請求項６】
上記プーリー軸受けと上記テコ体の作用点と間は、微小な一点で連結されていることを特徴とする請求項５記載の帯鋸の調整装置。
【請求項７】
上記テコ体の作用点の位置と、上記プーリー軸受けとプーリー軸受け規制機構との連結位置とはほぼ一致していることを特徴とする請求項１記載の帯鋸の調整装置。
【請求項８】
上記プーリーの軸に固定され、当該プーリーと一体回転するブレーキ体と、
このブレーキ体に対向して配置され、当該ブレーキ体に当接可能な当接体と、
この当接体と上記テコ体とを連結し、上記プーリーが互いに離間し、これに沿って上記テコ体が動いたとき、当該当接体を上記ブレーキ体に当接させて、上記プーリーの回転を停止させる連結体とを備えたことを特徴とする請求項１記載の帯鋸の調整装置。
【請求項９】
上記テコ体が動いたとき作動され、上記プーリーの駆動モーターの駆動を停止させる作動手段をさらに備えたことを特徴とする請求項８記載の帯鋸の調整装置。
【請求項１０】
上記テコ体の支点の回動軸を受ける支点軸受けを備え、上記連結体または作動手段は、上記テコ板またはこの支点軸受けとともに移動することを特徴とする請求項８または９記載の帯鋸の調整装置。
【請求項１１】
帯鋸装置に回転可能に支持された少なくとも２つのプーリーと、
この少なくとも２つのプーリーに掛け渡された帯鋸と、
上記帯鋸装置に回動可能に取り付けられるとともに、この回動の軸を支点としたテコ体と、
このテコ体の力点に力を加える力点機構と、を備えた帯鋸装置において、
上記テコ体の作用点から力を受けて、上記プーリーを互いに離間させる方向に付勢するとともに、上記プーリーの軸を受け、
このプーリー軸受けの移動方向を、上記２つのプーリーを結ぶ方向にのみ規制することを特徴とする帯鋸の調整方法。
【発明の詳細な説明】
【技術分野】
【０００１】
本発明は、帯鋸を有する装置または方法に関し、特に帯鋸の長さが変化したり切断したりするなどの帯鋸に変化または異常が有った時に対応する装置または方法に関する。
【背景技術】
【０００２】
従来の帯鋸を有する装置では、例えばドライアイスや氷を切断するものがあった。このような装置では、切断する対象が低温であるため、金属製の帯鋸が切断中に冷えて縮み、帯鋸の張力が強くなりすぎてしまい、逆にきれいにドライアイスや氷を切断できないことがあった。
【０００３】
また、作りたての高温の食品や、材木またはプラスチックなどの切断時に帯鋸との間に摩擦熱を発生するものなど、逆に高温の熱いものを切断する場合には、帯鋸が温まってまたは熱くなって伸び、帯鋸の張力が弱くなってしまい、やはりきれいに切断できないがあった。このようなことは切断する対象だけでなく、帯鋸を有する装置の周囲の気温の上昇または下降といった変化によっても生じる。さらには、上述の帯鋸の縮みによって、極端な場合には帯鋸が切断してしまうこともあった。
【０００４】
【特許文献１】実願昭５９−１５８５１２（実開昭６１−０７５９２３号）のマイクロフィルム
【特許文献２】実願昭６１−０５８９５９（実開昭６２−１７２５１５号）のマイクロフィルム
【発明の開示】
【発明が解決しようとする課題】
【０００５】
本発明が解決しようとする課題は、このような帯鋸の長さの変化があっても、帯鋸の張力をほぼ一定に保ち、極端な場合には帯鋸の切断があっても、装置を損傷しないことにある。
【課題を解決するための手段】
【０００６】
上記目的を達成するために、本件発明は、  帯鋸装置に回動可能に取り付けられるとともに、この回動の軸を支点としたテコ体と、  このテコ体の力点に力を加える力点機構と、  上記テコ体の作用点から力を受けて、上記プーリーを互いに離間させる方向に付勢するとともに、上記プーリーの軸を受けるプーリー軸受けと、  このプーリー軸受けの移動方向を、上記２つのプーリーを結ぶ方向にのみ規制する、上記帯鋸装置に取り付けられたプーリー軸受け規制機構とを備えた。
【０００７】
また、上記プーリーの軸に固定され、当該プーリーと一体回転するブレーキ体と、  このブレーキ体に対向して配置され、当該ブレーキ体に当接可能な当接体と、  この当接体と上記テコ体とを連結し、上記プーリーが互いに離間し、これに沿って上記テコ体が動いたとき、当該当接体を上記ブレーキ体に当接させて、上記プーリーの回転を停止させる連結体とを備えた。
【発明の効果】
【０００８】
これにより、熱収縮または熱膨張によって帯鋸の長さが変化すると、帯鋸の張力が変化するので、この張力の変換が上記テコ体の作用点に働き、テコ体が動いて、テコ体の力点とのバランスがとられ、帯鋸の張力が一定に保たれる。
【０００９】
また、プーリー軸受けの移動方向を、上記２つのプーリーを結ぶ方向にのみ規制するから、プーリーの移動によって帯鋸が傾いてしまうことがなく、切断対象が斜めに切断されることもなくなる。
【００１０】
さらに、帯鋸が切断すると上記テコ体の作用点の受け力がほぼ無くなり、上記テコ体が大きく動いて、上記当接体が上記ブレーキ体に当接して、上記プーリーの回転が停止される。これにより、帯鋸が切断したり外れたりした時、プーリーの回転が停止され、帯鋸装置が損傷しない。
【発明を実施するための最良の形態】
【００１１】
（１）帯鋸装置
図１は帯鋸装置１の全体外観を示す。帯鋸装置１の土台フレーム２の中央には、縦に伸びる支柱フレーム３が固定されている。この支柱フレーム３の下には駆動プーリー４が回転可能に支持され、同じく支柱フレーム３の上には被動プーリー５が回転可能に支持されている。
【００１２】
下側の駆動プーリー４の回転軸には被動ベルト車６が一体回動可能に固定されている。この被動ベルト車６の傍らの上記土台フレーム２の上には駆動モーター７が固定され、この駆動モーター７の回転軸には駆動ベルト車８が一体回動可能に固定されている。これら、駆動ベルト車８及び被動ベルト車６にはベルト９が掛け渡されて、駆動モーター７の駆動によって、上記駆動プーリー４が回転される。
【００１３】
上記駆動プーリー４及び被動プーリー５に渡ってエンドレスの帯鋸１０が所定または一定の張力で掛け渡され、上記駆動モーター７の駆動による駆動プーリー４の回転によって、帯鋸１０が送られて移動し、上記被動プーリー５も回転される。この駆動プーリー４と被動プーリー５とは同形同大である。この帯鋸１０は金属製であるが、場合によって樹脂製、ガラス製、セラミック製、これらと金属との混合物製でもよい。
【００１４】
（２）メイン調整機構
図２は帯鋸装置１の中のメイン調整機構及びその周辺の分解図を示す。図５は長尺支柱（長尺体）１６、支点軸受け１９、プーリー規制スライダー（プーリー軸受け規制機構）４３及びその周辺の縦断面を示す。図６は支点軸受け１９及びその周辺の縦断面を示す。
【００１５】
上記支柱フレーム３の上には、縦に伸びる長尺支柱１６が固定されている。この長尺支柱１６の上には方形板状の支え板１７が固定され、この支え板１７は側方に突出し、この突出部分の中央には穴が形成されている。この穴にスラストベアリング３２を介して細長い台形ねじの調整台形雄ねじ１８が回転可能に支持されている。
【００１６】
この調整台形雄ねじ１８は、支え板１７の下で、縦長のほぼ正方形柱状の支点軸受け１９の中心を挿通しており、この調整台形雄ねじ１８の下端には台形雌ねじ２０が螺合固定されている。この台形雌ねじ２０の下面は全周にわたって外方に突出して、上記支点軸受け１９の下から当接してねじ留めされ、支点軸受け１９が調整台形雄ねじ１８から抜け落ちないように保持されている。
【００１７】
この台形雄ねじ１８の上端にはギアボックス３３を介して環状の調整ハンドル２１が横向きに固定され、この調整ハンドルが回転されると、支え板１７に対して、調整台形雄ねじ１８が回転する。この調整台形雄ねじ１８が回転すると、台形雌ねじ２０の調整台形雄ねじ１８に対する螺合位置が上下動し、これにより台形雌ねじ２０が上下動し、この結果支点軸受け１９も同様に一体的に上下動する。これに対して、支え板１７及び長尺支柱１６は上下動せず、帯鋸装置１に固定されている。
【００１８】
上記長尺支柱１６の側面にはアリ堤２２（支点軸受け規制機構）が形成され、一方上記支点軸受け１９の側面にアリ溝２３（支点軸受け規制機構）が形成され、このアリ溝２３はアリ堤２２にスライド可能に嵌め込まれている。このアリ堤２２とアリ溝２３との間には、場合によってスライドを円滑にする油等が注入される。
【００１９】
このアリ堤２２及びアリ溝２３のスライド方向は、上記駆動プーリー４及び被動プーリー５の両中心を結ぶ方向または外周に接して結ぶ方向（以下「駆動プーリー４及び被動プーリー５を結ぶ方向）という）と一致しており、この結果さらに調整台形雄ねじ１８の方向及び支点軸受け１９の移動方向にも一致しており、支点軸受け１９の移動方向は、２つの駆動プーリー４及び被動プーリー５を結ぶ方向にのみ規制される。
【００２０】
したがって、テコ板２８が動いたり被動プーリー５が動いたりしても、テコ板２８の支点、作用点及び力点の被動プーリー５及び被動プーリー軸３６に対する作用点及びモーメント位置は変化せず、テコ板２８の力点から伝えられる力もモーメントも変化しないで済む。
【００２１】
また、被動プーリー５及びプーリー軸受け３７並びに支点軸受け１９の移動方向は、上記２つの駆動プーリー４及び被動プーリー５を結ぶ方向にのみ規制されるから、被動プーリー５の移動によって帯鋸１０が傾いてしまうことがなく、切断対象が斜めに切断されることもなくなる。
【００２２】
上記支点軸受け１９の支点軸受け１９と反対側の側面の下方には直方体状の軸受け部２６が突設されており、この軸受け部２６を貫通して支点軸２７（支点）が回転可能に受けられ支持されている。この支点軸２７の手前端には、途中で若干折れ曲がった細長い板状の直線状のテコ板２８（テコ体）の一端が固定連結されている。したがって、このテコ板２８は支点軸２７とともに帯鋸装置１に対して一体回動可能に取り付けられている。
【００２３】
このテコ板２８の他端には数キログラムの重量の錘２９（力点）が固定されており、テコ板２８を下方に付勢している。この錘２９はテコ板２８の長手方向に沿ってスライド可能となっている。この錘２９はテコ板２８の力点に力を加える力点機構となっており、上記支点軸２７をテコの支点としている。
【００２４】
この支点軸２７の奥端には、張力受け部３０が取り付けられ固定されている。この張力受け部３０の、上記支点軸２７の中心からずれた位置には、頭部がテーパー状（すり鉢状）に凹んだピン受け３１（作用点）が取り付けられ固定されている。このピン受け３１が上記テコ板２８の作用点となる。この作用点の力は上記錘２９の数倍乃至数十倍の大きさとなり、数千キログラム乃至数トンの力となる。
【００２５】
（３）サブ調整機構
図２は帯鋸装置１の中のサブ調整機構及びその周辺の分解図を示す。上記被動プーリー５の被動プーリー軸３６は手前側に長く延出され、この延出された被動プーリー軸３６は筒状のプーリー軸受け３７（プーリー軸受け）内に回転可能に受けて、上下左右前後にいずれにも傾かないように水平に保持され支持される。このプーリー軸受け３７の下には、被動プーリー軸３６と直交する方向に横連結穴３８があけられ、この横連結穴３８には横連結ピン３９が挿通されている。
【００２６】
上記プーリー規制スライダー４３の奥の下面には、頭部がテーパー状（すり鉢状）に凹んだピン受け４０が下方から上向きに取り付けられ固定されている。このピン受け４０と、上記張力受け部３０のピン受け３１と間には、両端が尖った作用ピン４１が介在されて挟まれ、これらのピン受け３１、４０の奥底は尖って、ここに尖った作用ピン４１の両端が当接するので、ピン受け３１、４０と作用ピン４１との当接位置は、テコ板２８が動いて傾きが変わっても、変化せず移動せず一定である。
【００２７】
このように、上記プーリー規制スライダー４３と上記テコ板２８の作用点と間は、微小な一点で連結されている。したがって、上記テコ板２８が動いて傾きが変わっても、テコ板２８の錘２９の力及びモーメントが、プーリー規制スライダー４３、プーリー軸受け３７及び被動プーリー軸３６に上向きに正確に伝えられ、伝えられる位置も力もモーメントも変化せず、帯鋸１０の張力が一定に保たれる。したがって、テコ板２８の作用点から力を受けて、上記被動プーリー５は上記駆動プーリー４から互いに離間される方向に付勢される。
【００２８】
上記プーリー軸受け３７の上記横連結穴３８の手前側の下面には、傾斜調整ねじ４５が縦向きに螺合固定され下方へ突出している。一方、上記プーリー規制スライダー４３の手前側には方形板状の調節板４６が延出され、この調節板４６の中央を、上記傾斜調整ねじ４５が貫通しており、この傾斜調整ねじ４５の下方の頭部は、この調節板４６の下面に当接して調節板４６が抜け落ちないようになっている。
【００２９】
この調節板４６と上記プーリー軸受け３７との間の傾斜調整ねじ４５の周囲には螺旋バネが巻回されており、調節板４６及びプーリー規制スライダー４３と、プーリー軸受け３７及び被動プーリー軸３６とが、互いに離間される方向に付勢されている。この傾斜調整ねじ４５を回すと、横連結ピン３９を回動軸として、プーリー規制スライダー４３に対してプーリー軸受け３７及び被動プーリー軸３６が上昇したり下降したりするように回動する。
【００３０】
これにより、被動プーリー軸３６及び被動プーリー５の手前と奥とにわたる方向に沿った傾きが調整される。つまり、プーリー規制スライダー４３及び帯鋸装置１全体に対してプーリー軸受け３７及び被動プーリー５の傾斜を、被動プーリー５面に直交する面でかつ垂直方向にそって調整できる。
【００３１】
また、被動プーリー５を被動プーリー軸３６から外した場合には、横連結ピン３９を回動軸として、プーリー軸受け３７が下降回動しようとするが、傾斜調整ねじ４５の周囲の螺旋バネでプーリー軸受け３７が受け止められているので、さらにはこの螺旋バネ圧は調節板４６、プーリー規制スライダー４３、作用ピン４１、テコ板２８を通じて錘２９で受け止められ、プーリー軸受け３７はほとんど下降回動せず安定する。
【００３２】
また、被動プーリー軸３６に被動プーリー５が取付られ固定されると、プーリー軸受け３７が上昇回動しようとするが、傾斜調整ねじ４５の頭部が調節板４６の下面に当接して、傾斜調整ねじ４５が調節板４６から抜けないので、さらにはこの調節板４６にかかる力はプーリー規制スライダー４３、作用ピン４１、テコ板２８を通じて錘２９で受け止められ、プーリー軸受け３７はほとんど上昇回動せず安定する。
【００３３】
上記軸受け部２６の上にはアリ溝４２（長尺体／プーリー軸受け規制機構）が形成され、このアリ溝４２には、プーリー規制スライダー４３（プーリー軸受け規制機構）のアリ堤４４（長尺体／プーリー軸受け規制機構）がスライド可能に嵌め込まれている。このアリ堤４４とアリ溝４２との間には、場合によってスライドを円滑にする油等が注入される。
【００３４】
したがって、プーリー軸受けとプーリー軸受け規制機構とは、上記支点軸受け１９に設けられたアリ溝４２（長尺体／プーリー軸受け規制機構）と、このアリ溝４２（長尺体／プーリー軸受け規制機構）に対して、アリ堤４４（長尺体／プーリー軸受け規制機構）を介して、上記２つの駆動プーリー４と被動プーリー５とを結ぶ方向にのみスライド可能に取り付けられた、上記被動プーリー軸３６を受けるプーリー軸受け３７及びプーリー規制スライダー４３とを備えていることになる。
【００３５】
上記プーリー規制スライダー４３の奥側には、横連結穴４７が形成され、この横連結穴４７には、上記プーリー軸受け３７の横連結ピン３９の先端が嵌め込まれ固定されるまたは螺合固定される。これにより、プーリー規制スライダー４３とプーリー軸受け３７と被動プーリー軸３６と上記被動プーリー５とは一体的に移動する。また、プーリー軸受け３７、被動プーリー軸３６、被動プーリー５とプーリー規制スライダー４３とが垂直方向にずれないように連結される。
【００３６】
上記アリ堤４４及びアリ溝４２のスライド方向は、上記駆動プーリー４及び被動プーリー５の中心を結ぶ方向または外周に接して結ぶ方向と一致しており、この結果さらにプーリー規制スライダー４３とプーリー軸受け３７と被動プーリー軸３６と上記被動プーリー５の移動方向にも一致しており、プーリー軸受け３７の移動方向は、２つの駆動プーリー４及び被動プーリー５を結ぶ方向にのみ規制される。
【００３７】
このスライド方向の規制は、上記長尺支柱１６のアリ堤２２と支点軸受け１９のアリ溝２３のスライド方向の規制と同じである。したがって、プーリー軸受け３７及びプーリー規制スライダー４３などの、被動プーリー軸３６のプーリー軸受け規制機構の移動方向は、上記支点軸受け１９などの、テコ板２８の支点軸２７の支点軸受け規制機構に対して、上記２つの駆動プーリー４及び被動プーリー５を結ぶ方向にのみ規制される。
【００３８】
この結果、プーリー軸受け３７の移動方向が、上記２つの駆動プーリー４及び被動プーリー５を結ぶ方向にのみ規制されるから、被動プーリー５の移動によって帯鋸１０が傾いてしまうことがなく、切断対象が斜めに切断されることもなくなる。
【００３９】
上記テコ板２８の作用点の有る作用ピン４１の位置と、プーリー規制スライダー４３がプーリー軸受け３７を支える横連結ピン３９の連結位置つまり前後方向（被動プーリー軸３６に沿った方向）の位置とは同じで一致、またはテコ板２８が動いてもほぼ同じでほぼ一致している。したがって、テコ板２８の動きによって作用点が移動しても、被動プーリー軸３６及び被動プーリー５が前後方向に傾斜せず、帯鋸１０に斜めの無理な力がかかって破損することがなくなる。
【００４０】
また、上記テコ板２８の作用点の有る作用ピン４１の位置と、横連結ピン３９の中心線とは同じで一致、またはテコ板２８が動いてもほぼ同じでほぼ一致している。したがって、テコ板２８の動きによって作用点が移動しても、横連結ピン３９の真上の被動プーリー軸３６及び被動プーリー５が左右方向（被動プーリー軸３６に直交する方向）に傾斜せず、帯鋸１０が傾いてしまうことがなく、切断対象が斜めに切断されることもなくなる。
【００４１】
（４）ブレーキ機構
図７は帯鋸装置１のブレーキ機構を示す。上記被動プーリー軸３６のプーリー軸受け３７のさらに先端には、円盤状のブレーキディスク５１（ブレーキ体）の中心が嵌め込まれて固定され、被動プーリー軸３６及び被動プーリー５とともに一体回転される。一方、上記プーリー軸受け３７の側面のブレーキディスク５１の傍には、ブレーキ杆５２が立設されており、このブレーキ杆５２の先端は折れ曲がって上記ブレーキディスク５１の真上に達している。
【００４２】
このブレーキ杆５２の先端には自転車のブレーキと同じ構造のブレーキシステムが取り付けられている。すなわち、ブレーキ杆５２の先端にはブレーキ支軸５３が突設され、このブレーキ支軸５３には２つの当接杆５４、５４の中央が回動可能に嵌め込まれており、この２つの当接杆５４、５４は互いに交差して、その下端はブレーキディスク５１の上両面に達している。
【００４３】
この当接杆５４、５４の下端には当接ゴム体５５、５５（ブレーキ体）がねじ留めなどで取り付けられ固定されている。この当接ゴム体５５、５５は、互いに対向するとともに、間に上記ブレーキディスク５１の上縁を挟み、この当接ゴム体５５、５５が、ブレーキディスク５１に対して対向して配置され、当該当接ゴム体５５、５５は、ブレーキディスク５１に前後両面から当接可能となっている。
【００４４】
中にブレーキワイヤー５６（連結体）を内蔵したブレーキチューブ５７（連結体）の中のブレーキワイヤー５６一端は、上記一方の当接杆５４の上端に固定され、ブレーキチューブ５７の一端は上記他方の当接杆５４の上端に固定される。また、このブレーキチューブ５７の他端は、上記ブレーキ杆５２に固定され、ブレーキワイヤー５６の他端は、上記テコ板２８の中央の折り曲げ個所付近の上側に固定される。このようにして、テコ板２８と当接ゴム体５５、５５とが連結される。
【００４５】
上記テコ板２８の折り曲げ個所付近の下側において、支点軸受け１９の下方の側面にはリミットスイッチ５８が設けられている。このリミットスイッチ５８が作動すると、上記駆動モーター７への電源の供給が遮断され、場合によって駆動モーター７は発電制動回路または回生制動回路（図示せず）に切り替えられて接続され、駆動モーター７の回転駆動が停止され、駆動プーリー４の回転が急速に停止され、帯鋸装置１が損傷しない。
【００４６】
帯鋸１０が切断するまたは駆動プーリー４または被動プーリー５から外れるなど、帯鋸装置１に大きな異常が生じて、被動プーリー５を下の駆動プーリー４側に付勢する力が無くなると、被動プーリー５、プーリー軸受け３７及び被動プーリー軸３６がテコ板２８の錘２９の重量の作用によって持ちあがり、テコ板２８は下方へ大きく回動する。
【００４７】
そうすると、ブレーキワイヤー５６の一端が引っ張られ、当接杆５４が回動して、当接ゴム体５５がブレーキディスク５１に当接する。この時同時に、ブレーキワイヤー５６が引っ張られる反作用によって、ブレーキチューブ５７の一端が上記ブレーキワイヤー５６の一端とは反対方向に引っ張られ、もう一つの当接杆５４が回動して、もう一つの当接ゴム体５５がブレーキディスク５１に当接する。
【００４８】
これにより、ブレーキディスク５１の前後両側から当接ゴム体５５、５５が当接して、ブレーキディスク５１の回転が急速に停止されるとともに、被動プーリー軸３６及び被動プーリー５の回転も停止される。こうして、帯鋸１０が切断したり外れたりして、駆動プーリー４と被動プーリー５とが互いに離間し、これに沿ってテコ板２８が動いた時、被動プーリー５の回転が急速に停止され、帯鋸装置１が損傷しない。
【００４９】
なお、図示していないが、土台フレーム２、支柱フレーム３の上の被動プーリー５と駆動プーリー４との間には、載置台が前後に移動可能に設置され、この載置台の中央には前後に伸びるスリットが形成され、このスリット内を上記帯鋸１０が挿通している。載置台の切断対象物を乗せて、載置台と切断対象物とを前後に動かすと、切断対象物に帯鋸１０が当たり、切断対象物が切断されていく。
【００５０】
（５）帯鋸１０のメイン調整及びサブ調整
上記帯鋸１０の張り具合／張力を調整したり、帯鋸１０を交換したり入れ替えたりするには、帯鋸１０上述のメイン調整機構を使って調整する。調整ハンドル２１を回して、駆動プーリー４に被動プーリー５に近づければ、帯鋸１０が緩むので、帯鋸１０を外して別の帯鋸１０を駆動プーリー４及び被動プーリー５に掛け渡したり、切断された帯鋸１０に代えて新たな帯鋸１０を駆動プーリー４及び被動プーリー５に掛け渡したりすることができる。
【００５１】
次いで、調整ハンドル２１を反対方向に回すと、支点軸受け１９及びプーリー規制スライダー４３が一体的に持ち上がって上昇し、これに応じて作用ピン４１、プーリー軸受け３７、被動プーリー軸３６及び被動プーリー５も同様に同じ高さ分持ち上がって上昇する。これにより、被動プーリー５が駆はられる動プーリー４から遠ざかり、帯鋸１０が被動プーリー５及び駆動プーリー４から外れなくなり、帯鋸１０が張られる。
【００５２】
このとき、上記テコ板２８は向きを変えず回動せず、支点軸受け１９及び支え板１７とともに、同様に同じ高さ分持ちあがって上昇する。これにより、テコ板２８が被動プーリー軸３６及び被動プーリー５に作用するモーメント及び力が変化せず、上記帯鋸１０に対する張力／張りが不用意に変化してしまうことがない。
【００５３】
また、上記リミットスイッチ５８（作動機構）、ブレーキワイヤー５６（連結体）、ブレーキチューブ５７（連結はられる体）も、上記テコ板２８、支点軸受け１９、支え板１７及びプーリー規制スライダー４３とともに、同様に同じ高さ分持ちあがって上昇する。
【００５４】
これにより、リミットスイッチ５８（作動機構）、ブレーキワイヤー５６（連結体）、ブレーキチューブ５７（連結体）のテコ板２８に対する相対的位置が変化せず、誤ってブレーキディスク５１に当接ゴム体５２が当接せず、また誤ってリミットスイッチ５８が作動して駆動モーター７が停止してしまうことがなく、駆動プーリー４及び被動プーリー５並びに帯鋸１０が円滑に駆動される。
【００５５】
この調整において、長尺支柱１６のアリ堤２２及び支点軸受け１９のアリ溝２３によって、支点軸受け１９の移動方向は、２つの駆動プーリー４及び被動プーリー５を結ぶ方向にのみ規制される。したがって、この場合の被動プーリー５の移動によって帯鋸１０が傾いてしまうことがなく、切断対象が斜めに切断されることもなくなる。
【００５６】
また、テコ板２８及び被動プーリー５が上下動しても、テコ板２８の支点、作用点及び力点の被動プーリー５及び被動プーリー軸３６に対する作用点及びモーメント位置は変化せず、テコ板２８の力点から伝えられる力もモーメントも変化しないで済む。
【００５７】
ここで、調整ハンドル２１をさらに反対方向に回すと、プーリー軸３６及びプーリー軸受け３７はこれ以上上昇できないので、プーリー軸受け３７から、作用ピン４１を通じて、支点軸２７及びテコ板２８を上向きに回動させる力が働き、テコ板２８及び錘２９が図３のやや下向きに傾いた状態から図４の水平状態になる。
【００５８】
図３及び図４は、このときの変化を示す。この図４の状態になれば、テコ板２８及び錘２９の作用によって、帯鋸１０が強く張られる、帯鋸１０の張力が増す。このテコ板２８が水平状態にあるときが、錘２９のモーメントがもっとも大きく、帯鋸１０が最も強く張られ、帯鋸１０の張力ももっとも大きくなる。
【００５９】
ここで、さらに錘２９を、支点軸２７から離れる方向に、テコ板２８に沿ってスライドさせると、錘２９のモーメントが大きくなり、テコ板２８が図３のやや下向きの状態に戻る。そして、調整ハンドル２１をまたさらに反対方向に回すと、同様にして、テコ板２８及び錘２９が図４の水平状態になる。
【００６０】
この場合、帯鋸１０はさらに強く張られ、より強い張力が得られる。以上を繰り返すと、帯鋸１０はまたさらに強く張られ、さらにより強い張力が得られる。以上の操作を逆にして、調整ハンドル２１をさらに正方向に回し、錘２９を支点軸２７に近づけると、帯鋸１０は緩められ、張力が弱められる。
【００６１】
このように、調整ハンドル２１の回転と、錘２９のスライドとによって、帯鋸１０の張りと張力を調整できるし、帯鋸１０の張力を切断対象に合わせて最適に調整できる。このような調整ハンドル２１の回転と、錘２９のスライドによる、調整は次述する帯鋸１０の伸縮時に置いても可能である。
【００６２】
帯鋸１０の張り／張力を調整した後、調整しながらまたはこの前に、テコ板２８の錘２９をテコ板２８に沿って左右に動かし、テコ板２８の傾きを調整することもできる。帯鋸１０の切断対象が冷たく、帯鋸１０が縮むと予想される場合には、テコ板２８の傾きを下側にする。帯鋸１０の切断対象が温かくまたは熱く、帯鋸１０が伸びると予想される場合には、テコ板２８の傾きを上側にする。切断対象が冷たいもの及び熱いものの両方の場合には、この下側と上側の中間にされる。
【００６３】
このようなテコ板２８の上下の調整によって、被動プーリー５、被動プーリー軸３６及びブレーキディスク５１は若干上下するが、このとき、ブレーキ杆５２、ブレーキ支軸５３、当接杆５４、当接ゴム体５５、５５、ブレーキワイヤー５６、ブレーキチューブ５７、リミットスイッチ５８も連動して同じ量上下動する。
【００６４】
この結果、ブレーキディスク５１から当接ゴム体５５、５５がずれてしまうことがない。また、このようなテコ板２８の上下の調整によって、ブレーキワイヤー５６は若干引っ張られたり緩められたりされて、当接ゴム体５５、５５の間隔が若干広がったり狭まったりされるが、当接ゴム体５５の間隔は余裕をもった配置とされる。
【００６５】
切断対象が冷たくて、帯鋸１０が縮むと、被動プーリー５が下降する。すると、被動プーリー軸３６及びプーリー軸受け３７が同様に下降し、作用ピン４１が下へ押され、支点軸２７が回動され、テコ板２８が上へ回動する。これにより、帯鋸１０の収縮が吸収されるとともに、帯鋸１０の張り／張力が強くなり過ぎず、帯鋸１０が破損せず、帯鋸１０の張り／張力が一定に保たれ、切断対象がきれいに切断される。
【００６６】
また、切断対象が温かいまたは熱くて、帯鋸１０が伸びると、帯鋸１０が被動プーリー５を下方へ引っ張る力が弱まる。すると、テコ板２８の錘２９の力で、支点軸２７が逆向きに回動され、作用ピン４１が上へ押し上げられ、プーリー軸受け３７及び被動プーリー軸３６が同様に上昇する。これにより、帯鋸１０の伸長が吸収されるとともに、帯鋸１０の張り／張力が弱くなり過ぎず、帯鋸１０が弛まず、帯鋸１０の張り／張力が一定に保たれ、切断対象がきれいに切断される。
【００６７】
この自動調整において、支点軸受け１９のアリ溝４２及びプーリー規制スライダー４３のアリ堤４４によって、プーリー規制スライダー４３、プーリー軸受け３７及び被動プーリー軸３６の移動方向は、２つの駆動プーリー４及び被動プーリー５を結ぶ方向にのみ規制される。したがって、この場合の被動プーリー５の移動によって帯鋸１０が傾いてしまうことがなく、切断対象が斜めに切断されることもなくなる。
【００６８】
以上のように、プーリー規制スライダー（プーリー軸受け規制機構）４３とテコ板２８の支点軸受け１９とを別体として、両者の動きを独立にしたので、テコ板２８自体がテコの働きをせずに、被動プーリー５が上下動して帯鋸１０を調整する作業と、テコ板２８自体がテコの働きをして被動プーリー５が上下動して帯鋸１０を調整する作業とを独立にして、多重の複合的な調整ができる。
【００６９】
（６）他の実施の形態
本発明は、上記実施例に限定されず、種々変更可能である。例えば、帯鋸１０は垂直向きだけではなく、水平方向、前後または左右に斜め方向になっていてもよい。帯鋸１０は掛け渡される駆動プーリー４及び被動プーリー５は同形同大であったが、径が異なっていても良い。この場合、二列の帯鋸１０のうち、切断対象物が切断される帯鋸１０の方だけが、上記垂直方向若しくは上記水平方向または斜め方向にされる。このような場合でも、上述したように、帯鋸１０の収縮・膨張が有っても方向が変化しないように維持される。
【００７０】
プーリー４、５の数は２つ以外に３つ以上でもよい。この場合でも１つのプーリーを他の１つのプーリーに接近させる方向または離間させる方向に、同様にして調整できる。上記載置台の上面及び切断対象物は、水平であるが、前後または左右に傾斜していてもよいし、帯鋸１０が水平に配置される時には、帯鋸１０に対して平行に配置されたり、斜めに配置されたり、直交する方向に配置される。
【００７１】
上記テコ板２８の力点は錘２９のほか、コイルバネ等の弾性体、モーター・電磁ソレノイド等の動力源による押圧・牽引等でもよい。支点軸受け１９または長尺支柱１６（長尺体）は省略されてもよい。帯鋸１０の全体調整は別の手段で実行されたり、帯鋸１０は予め正確な長さに設定されたりする。
【００７２】
錘（力点／力点機構）２９は、テコ板（テコ体）２８を下方へ付勢する引っ張りばね、または押圧ばね等の付勢弾性体、油圧ばね、空気圧ばねなど、何でもよい。テコ板（テコ体）２８は、歯車機構、ロープ及び滑車機構など、テコの機能を発揮できれば何でもよい。
【００７３】
また、テコ板２８の作用点は支点と力点の間に位置してもよい。この場合、テコ板２８の作用点の力は上向きの持ち上げではなく下向きの押し下げとなり、図１の被動プーリー５と駆動プーリー４とは上下入れ替わり、図２の調整機構は下側の被動プーリー５側に設けられ、テコ板２８及びピン受け３１は支点軸２７をとおる垂直軸で左右対称に反転され、軸受け部２６は支点軸受け１９の上方に位置し、横連結穴３８、ピン受け４０、作用ピン４１及び横連結ピン３９は、プーリー軸受け３７の上側に位置する。
【００７４】
上記ブレーキチューブ（連結体）５７は省略され、ブレーキワイヤー（連結体）５６の先端が２つに分岐されて、当接杆５４、５４の上端にそれぞれ固定され、テコ板２８が下動したとき、２つの当接杆５４、５４の上端が互いに接近するように、引っ張られてもよい。ブレーキ杆５２はプーリー規制スライダー４３に固定されてもよい。
【００７５】
この場合、当接杆（当接体）５４の上端の間において、プーリー規制スライダー４３、支え板１７または支点軸受け１９に対してリングが固定され、このリングを上記ブレーキワイヤー５６が挿通されて２つに分岐される。またこのような連結体は、ブレーキワイヤー５６等以外に、ボルト、ナット、リンク機構、クランク機構など、テコ板２８とブレーキ体を連結できれば何でもよい。
【００７６】
ブレーキ体は、ブレーキディスク５１のほか、被動プーリー５、被動プーリー軸３６または駆動プーリー４の側面または周面そのものでもよく、これらに当接ゴム体（当接体）５５が当接する。当接ゴム体（当接体）５５は、金属製でも樹脂製でも良く、当接面は平坦でも湾曲して凹んでも湾曲して膨らんでもたわしのように剛毛状でもよい。
【００７７】
上記のようなブレーキ機構を支えるブレーキ杆５２は、プーリー規制スライダー４３ではなく、支え板１７または支点軸受け１９に取り付けられてもよい。この場合、ブレーキディスク５１に対して当接ゴム体５５、５５が上下に若干移動するが、これに対応できるように、当接ゴム体５５及びブレーキディスク５１は十分な大きさと余裕をもった配置とされる。
【００７８】
上記プーリー規制スライダー４３は省略され、プーリー規制スライダー４３と支点軸受け１９とは一体化されてもよい。上記支点軸受け１９は省略され、支点軸受け１９と長尺支柱（長尺体）１６とは一体化されてもよい。駆動モーター７は交流モーター、直流モーター、リニアモーター、内燃機関、エンジンなど、駆動プーリー４を回転できれば何でもよい。
【００７９】
プーリー規制スライダー４３とプーリー軸受け３７との連結は、被動プーリー軸３６の上、下、真横等どこでもよく、この連結は横連結穴３８、横連結ピン３９、傾斜調整ねじ４５及び調節板４６のほか、ボルト、ナット、リンク機構、クランク機構、ワイヤー、溶接など、なんでもよい。
【００８０】
リミットスイッチ５８が設けられる個所は、支点軸受け１９のほか、長尺支柱（長尺体）１６、プーリー規制スライダー（プーリー軸受け規制機構）４３等、検出できればどこに設けられても良いし、リミットスイッチ（作動手段）５８が当接するのは、テコ板２８のほか、錘２９、支点軸（支点）２７、張力受け部３０など検出できれば何でもよい。
【００８１】
上記ピン受け３１、ピン受け４０は省略され、張力受け部３０上面と横連結穴３８の下面にテーパー状の凹部が形成されてもよい。作用ピン４１は作用点の機能を発揮できれば、ピンのほか、張力受け部から上に突出した突起、横連結穴３８の下面から突出した突起、リンク機構、クランク機構など作用点の機能を発揮できれば何でもよい。
【００８２】
テコ板２８の作用点の力の伝達は、作用ピン４１のほか、ボルト、ナット、リンク機構、クランク機構、頑丈なコイルバネ等でもよい。この作用ピン４１の形状は、卵形、角錐形でも良いし、上端または下端がとんがった山状ではなく尖った屋根状／山脈状でも良いし、張力受け部３０の完全に一体化されてもよいし、プーリー軸受け３７に完全に一体化されてもよい。
【００８３】
テコ板２８は円板状、立体状、ワイヤー状、紐状など、梃子作用が可能であればどのような形状でもよい。アリ堤（長尺体／支点軸受け規制機構）２２、アリ溝（長尺体／支点軸受け規制機構）２３、アリ溝（長尺体／プーリー軸受け規制機構）４２、アリ堤（長尺体／プーリー軸受け規制機構）４４は、スライド杆とこれを間に挟んでスライド可能に保持するスライダー、ピニオン及びラック機構、移動方向を規制できれば何でもよい。
【００８４】
上記支点軸（支点）２７及び軸受け部２６は、軸のほか、軸受け部２６の上に形成された断面「Ｖ字状」の凹溝と、この凹溝内に揺動可能に当接する、断面「Ｖ字状」の凸堤であっても良く、支点の機能を発揮できれば何でもよい。この場合、テコ板２８は支点軸２７の反対側にも延出されて錘などが連結される。
【００８５】
支点軸受け１９の上下動は、支え板１７、調整台形雄ねじ１８、台形雌ねじ２０のほか、スクリューの雄ねじ及び雌ねじ、万力機構、リンク機構、クランク機構など、支点軸受け１９を上下動できれば何でもよい。被動プーリー５及び駆動プーリー４は、帯鋸１０を掛け渡すことができれば、歯車など、なんでもよい。
【００８６】
上述の土台フレーム２、支柱フレーム３、駆動プーリー４、被動プーリー５、被動ベルト車６、駆動モーター７、駆動ベルト車８、ベルト９、１帯鋸１０、長尺支柱（長尺体）１６、支え板１７、調整台形雄ねじ１８、支点軸受け１９、台形雌ねじ２０、調整ハンドル２１、アリ堤（長尺体／支点軸受け規制機構）２２、アリ溝（長尺体／支点軸受け規制機構）２３、軸受け部２６、支点軸（支点）２７、テコ板（テコ体）２８、錘（力点／力点機構）２９、張力受け部３０、ピン受け３１、スラストベアリング２１、ギアボックス３３、被動プーリー軸３６、プーリー軸受け３７、横連結穴３８、横連結ピン３９、ピン受け４０、作用ピン４１、アリ溝（長尺体／プーリー軸受け規制機構）４２、プーリー規制スライダー（プーリー軸受け規制機構）４３、アリ堤（長尺体／プーリー軸受け規制機構）４４、傾斜調整ねじ４５、調節板４６、横連結穴４７、ブレーキディスク（ブレーキ体）５１、ブレーキ杆５２、ブレーキ支軸５３、当接杆（当接体）５４、当接ゴム体（当接体）５５、ブレーキワイヤー（連結体）５６、ブレーキチューブ（連結体）５７、リミットスイッチ（作動手段）５８の一部または全体は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は木製、竹製、樹脂製、金属製、ガラス製、綿製、布製、糸性、繊維製、ゴム製、紙製、セラミック製、カーボン製、硬質ウレタン製、これらの合成物製／混合物製／多層積層物製でもよい。
【００８７】
（７）他の発明の効果
[１]帯鋸装置に回転可能に支持された少なくとも２つのプーリーと、  この少なくとも２つのプーリーに掛け渡された帯鋸と、  上記帯鋸装置に回動可能に取り付けられるとともに、この回動の軸を支点としたテコ体と、  このテコ体の力点に力を加える力点機構と、  上記テコ体の作用点から力を受けて、上記プーリーを互いに離間させる方向に付勢するとともに、上記プーリーの軸を受けるプーリー軸受けと、  このプーリー軸受けの移動方向を、上記２つのプーリーを結ぶ方向にのみ規制する、上記帯鋸装置に取り付けられたプーリー軸受け規制機構とを備えたことを特徴とする帯鋸の調整装置。
【００８８】
［２］上記テコ体の支点の回動軸を受ける支点軸受けと、  この支点軸受けの移動方向を、上記２つのプーリーを結ぶ方向にのみ規制する、上記帯鋸装置に取り付けられた支点軸受け規制機構とをさらに備えたことを特徴とする請求項１記載の帯鋸の調整装置。
【００８９】
これにより、テコ体が動いたり被動プーリーが動いたりしても、テコ体の支点、作用点及び力点のプーリー及びプーリーの軸に対する作用点及びモーメント位置は変化せず、テコ体の力点から伝えられる力もモーメントも変化せず、帯鋸の張力が一定に保たれる。  また、テコ体の動きは回動であるにもかかわらず、これを２つのプーリーを結ぶ直線方向に規制でき、モーメント及び力の変化がなくバランスをとることができる。
【００９０】
さらに、プーリー軸受け（４３）とテコ体の支点軸受け（１９）とを別体として、両者の動きを独立にしたので、テコ体自体がテコの働きをせずに、プーリー（５）が上下動して帯鋸を調整する作業と、テコ体自体がテコの働きをしてプーリー（５）が上下動して帯鋸を調整する作業とを独立にして、多重の複合的な調整ができる。
【００９１】
［３］上記プーリー軸受け規制機構の移動方向は、上記支点軸受け規制機構に対して、上記２つのプーリーを結ぶ方向にのみ規制されることを特徴とする請求項２記載の帯鋸の調整装置。  これにより、プーリー軸受けの移動方向を、上記２つのプーリーを結ぶ方向にのみ規制するから、プーリーの移動によって帯鋸が傾いてしまうことがなく、切断対象が斜めに切断されることもなくなる。
【００９２】
［４］上記支点軸受けと支点軸受け規制機構とは、  上記帯鋸装置に固定された長尺体と、この長尺体に対して上記２つのプーリーを結ぶ方向にのみスライド可能に取り付けられた、上記テコ体の支点の回動軸を受ける支点軸受けとを備えたことを特徴とする請求項２記載の帯鋸の調整装置。
【００９３】
これにより、テコ体が動いたり被動プーリーが動いたりしても、テコ体の支点、作用点及び力点のプーリー及びプーリーの軸に対する作用点及びモーメント位置は変化せず、テコ体の力点から伝えられる力もモーメントも変化せず、帯鋸の張力が一定に保たれる。
【００９４】
［５］上記プーリー軸受けとプーリー軸受け規制機構とは、  上記支点軸受けに設けられた長尺体と、この長尺体に対して上記２つのプーリーを結ぶ方向にのみスライド可能に取り付けられた、上記プーリーの軸を受けるプーリー軸受けとを備えたことを特徴とする請求項４記載の帯鋸の調整装置。
【００９５】
これにより、プーリー軸受けの移動方向を、上記２つのプーリーを結ぶ方向にのみ規制するから、プーリーの移動によって帯鋸が傾いてしまうことがなく、切断対象が斜めに切断されることもなくなる。
【００９６】
［６］上記プーリー軸受けと上記テコ体の作用点と間は、微小な一点で連結されていることを特徴とする請求項５記載の帯鋸の調整装置。
［６−２］上記プーリー軸受けと上記テコ体の作用点と間には、両端が尖ったピンが介在され、このプーリー軸受け及びテコ体の作用点には、このピンの尖った先端が当接して移動しない凹部が形成されていることを特徴とする請求項５記載の帯鋸の調整装置。
【００９７】
これにより、上記テコ板が動いて傾きが変わっても、上記テコ板の力点の力が、プーリー軸受け及び被動プーリー軸に正確に伝えられ、伝えられる位置も力も変化せず、帯鋸の張力が一定に保たれる。
【００９８】
［７］上記テコ体の作用点の位置と、上記プーリー軸受けとプーリー軸受け規制機構との連結位置とはほぼ一致していることを特徴とする請求項１記載の帯鋸の調整装置。  これにより、テコ体の動きによって作用点が移動しても、上記プーリー及びこのプーリーの軸がこの軸に沿った方向に傾斜せず、帯鋸に斜めの無理な力がかかって破損することがなくなる。
【００９９】
［８］上記プーリーの軸に固定され、当該プーリーと一体回転するブレーキ体と、  このブレーキ体に対向して配置され、当該ブレーキ体に当接可能な当接体と、  この当接体と上記テコ体とを連結し、上記プーリーが互いに離間し、これに沿って上記テコ体が動いたとき、当該当接体を上記ブレーキ体に当接させて、上記プーリーの回転を停止させる連結体とを備えたことを特徴とする請求項１記載の帯鋸の調整装置。
【０１００】
これにより、帯鋸が切断したり外れたりして、プーリーが互いに離間し、これに沿ってテコ体が動いた時、プーリーの回転が急速に停止され、帯鋸装置が損傷しない。  また、テコ体を、上記帯鋸の収縮・伸長に対する調整と、帯鋸の切断時またはプーリーからの離脱時の緊急停止との両方に兼用できる。
【０１０１】
［９］上記テコ体が動いたとき作動され、上記プーリーの駆動モーターの駆動を停止させる作動手段をさらに備えたことを特徴とする請求項８記載の帯鋸の調整装置。  これにより、帯鋸が切断したり外れたりして、プーリーが互いに離間し、これに沿ってテコ体が動いた時、プーリーの回転が急速に停止され、帯鋸装置が損傷しない。
【０１０２】
［１０］上記テコ体の支点の回動軸を受ける支点軸受けを備え、上記連結体または作動手段は、上記テコ板またはこの支点軸受けとともに移動することを特徴とする請求項８または９記載の帯鋸の調整装置。
【０１０３】
これにより、作動機構、連結体のテコ体に対する相対的位置が変化せず、誤ってブレーキ体に当接体が当接せず、また誤って作動機構が作動して駆動モーターが停止してしまうことがなく、プーリー及び帯鋸が円滑に駆動される。
【０１０４】
［１１］帯鋸装置に回転可能に支持された少なくとも２つのプーリーと、  この少なくとも２つのプーリーに掛け渡された帯鋸と、  上記帯鋸装置に回動可能に取り付けられるとともに、この回動の軸を支点としたテコ体と、  このテコ体の力点に力を加える力点機構と、を備えた帯鋸装置において、
上記テコ体の作用点から力を受けて、上記プーリーを互いに離間させる方向に付勢するとともに、上記プーリーの軸を受け、  このプーリー軸受けの移動方向を、上記２つのプーリーを結ぶ方向にのみ規制することを特徴とする帯鋸の調整方法。
【産業上の利用可能性】
【０１０５】
帯鋸の収縮または伸長があっても、帯鋸が掛け渡されたプーリーを他のプーリーに接近または離間させて、帯鋸の張り／張力を調整する。切断対象が冷たくて、帯鋸１０が縮むと、被動プーリー５が下降し、被動プーリー軸３６及びプーリー軸受け３７が同様に下降し、作用ピン４１が下へ押され、支点軸２７が回動され、テコ板２８が上へ回動する。これにより、帯鋸１０の収縮が吸収されるとともに、帯鋸１０の張り／張力が強くなり過ぎず、帯鋸１０が破損せず、帯鋸１０の張り／張力が一定に保たれ、切断対象がきれいに切断される。切断対象が熱いとこの逆になる。
【０１０６】
支点軸受け１９のアリ溝４２及びプーリー規制スライダー４３のアリ堤４４によって、プーリー規制スライダー４３、プーリー軸受け３７及び被動プーリー軸３６の移動方向は、２つの駆動プーリー４及び被動プーリー５を結ぶ方向にのみ規制される。したがって、この場合の被動プーリー５の移動によって帯鋸１０が傾いてしまうことがなく、切断対象が斜めに切断されることもなくなる。
【０１０７】
調整ハンドル２１を回して、駆動プーリー４に被動プーリー５に近づければ、帯鋸１０が緩むので、帯鋸１０を外して別の帯鋸１０を駆動プーリー４及び被動プーリー５に掛け渡したり、切断された帯鋸１０に代えて新たな帯鋸１０を駆動プーリー４及び被動プーリー５に掛け渡したりすることができる。調整ハンドル２１を反対方向に回すと、この逆になる。
【０１０８】
このとき、長尺支柱１６のアリ堤２２及び支点軸受け１９のアリ溝２３によって、支点軸受け１９の移動方向は、２つの駆動プーリー４及び被動プーリー５を結ぶ方向にのみ規制される。したがって、この場合の被動プーリー５の移動によって帯鋸１０が傾いてしまうことがなく、切断対象が斜めに切断されることもなくなる。
【０１０９】
またこのとき、上記テコ板２８は向きを変えず回動せず、支点軸受け１９及び支え板１７とともに、同様に同じ高さ分持ちあがって上昇する。これにより、テコ板２８が被動プーリー軸３６及び被動プーリー５に作用するモーメント及び力が変化せず、上記帯鋸１０に対する張力／張りが不要に変化してしまうことがない。
【図面の簡単な説明】
【０１１０】
【図１】帯鋸装置１の全体外観を示す。
【図２】帯鋸装置１のメイン調整機構及びサブ調整機構の分解図を示す。
【図３】帯鋸装置１の被動プーリー５付近の正面を示す。
【図４】帯鋸装置１の被動プーリー５付近のテコ板２８が上動した状態の正面を示す。
【図５】長尺支柱（長尺体）１６、支点軸受け１９、プーリー規制スライダー（プーリー軸受け規制機構）４３及びその周辺の縦断面を示す。
【図６】支点軸受け１９及びその周辺の縦断面を示す。
【図７】帯鋸装置１のブレーキ機構を示す。
【符号の説明】
【０１１１】
１…帯鋸装置、２…土台フレーム、
３…支柱フレーム、４…駆動プーリー、
５…被動プーリー、６…被動ベルト車、
７…駆動モーター、８…駆動ベルト車、
９…ベルト、１０…帯鋸、
１６…長尺支柱（長尺体）、１７…支え板、
１８…調整台形雄ねじ、１９…支点軸受け、
２０…台形雌ねじ、２１…調整ハンドル、
２２…アリ堤（長尺体／支点軸受け規制機構）、
２３…アリ溝（長尺体／支点軸受け規制機構）、
２６…軸受け部、２７…支点軸（支点）、
２８…テコ板（テコ体）、２９…錘（力点／力点機構）、
３０…張力受け部、３１…ピン受け、
３２…スラストベアリング、３３…ギアボックス、
３６…被動プーリー軸、３７…プーリー軸受け、
３８…横連結穴、３９…横連結ピン、
４０…ピン受け、４１…作用ピン、
４２…アリ溝（長尺体／プーリー軸受け規制機構）、
４３…プーリー規制スライダー（プーリー軸受け規制機構）、
４４…アリ堤（長尺体／プーリー軸受け規制機構）、
４５…傾斜調整ねじ、４６…調節板、４７…横連結穴、
５１…ブレーキディスク（ブレーキ体）、５２…ブレーキ杆、
５３…ブレーキ支軸、５４…当接杆（当接体）、
５５…当接ゴム体（当接体）、５６…ブレーキワイヤー（連結体）、
５７…ブレーキチューブ（連結体）、５８…リミットスイッチ（作動手段）。
【図１】
2012000703.tif 000003
【図２】
2012000703.tif 000004
【図３】
2012000703.tif 000005
【図４】
2012000703.tif 000006
【図５】
2012000703.tif 000007
【図６】
2012000703.tif 000008
【図７】
2012000703.tif 000009